(57)【要約】【課題】  新たなハードウェアの追加を要することなく、接続された画像表示装置による表示画像の歪みの発生を防止することができる撮影装置及びビデオ信号出力方法を得る。【解決手段】  マイクロコンピュータ４０は、ビデオ信号の出力対象となるテレビジョン受像機における表示領域のＣＣＤ２４による撮像によって得られた画像情報に基づいて当該表示領域のアスペクト比を導出し、前記ビデオ信号によって示される被写体像のアスペクト比が当該被写体像に歪みを生じさせることなく、導出したアスペクト比となるようにデジタル信号処理部３０に設定する。【選択図】        図２
2005328165.tif 000002
【特許請求の範囲】
【請求項１】
撮像によって被写体像を示す画像情報を取得する撮像手段と、
画像表示装置に対して前記撮像手段により取得された画像情報によって示される被写体像を表示するためのビデオ信号を出力する出力手段と、
前記撮像手段による前記画像表示装置の表示領域の撮像によって得られた画像情報に基づいて当該表示領域のアスペクト比を導出する導出手段と、
前記ビデオ信号によって示される前記被写体像のアスペクト比が当該被写体像に歪みを生じさせることなく前記導出手段によって導出されたアスペクト比となるように設定する設定手段と、
を備えた撮影装置。
【請求項２】
予め定められたアスペクト比とされたテストパターンを表示するためのビデオ信号を前記出力手段によって出力させるテストパターン出力手段を更に備え、
前記導出手段は、前記画像表示装置における表示領域に前記テストパターンが表示された状態での前記撮像手段による当該表示領域の撮像によって得られた画像情報により示されるテストパターンに基づいて前記アスペクト比を導出する
請求項１記載の撮影装置。
【請求項３】
前記テストパターン出力手段は、前記テストパターンの撮影を促す情報を付加した状態で前記テストパターンを表示するためのビデオ信号を前記出力手段によって出力させる
請求項２記載の撮影装置。
【請求項４】
前記撮像によって得られた画像情報から前記テストパターンが検出できない場合に警告を発する警告手段
を更に備えた請求項２又は請求項３記載の撮影装置。
【請求項５】
前記ビデオ信号により示される被写体像のアスペクト比の設定指示を入力する入力手段と、
前記導出手段によって前記アスペクト比が導出できなかった場合に前記入力手段によるアスペクト比の設定指示の入力を促す情報を提示する提示手段と、
を更に備えた請求項１乃至請求項４の何れか１項記載の撮影装置。
【請求項６】
撮像によって被写体像を示す画像情報を取得する撮像手段と、画像表示装置に対して前記撮像手段により取得された画像情報によって示される被写体像を表示するためのビデオ信号を出力する出力手段と、を備えた撮影装置のビデオ信号出力方法であって、
前記撮像手段による前記画像表示装置の表示領域の撮像によって得られた画像情報に基づいて当該表示領域のアスペクト比を導出し、
前記ビデオ信号によって示される前記被写体像のアスペクト比が当該被写体像に歪みを生じさせることなく、導出したアスペクト比となるように設定する、
ビデオ信号出力方法。
【請求項７】
予め定められたアスペクト比とされたテストパターンを表示するためのビデオ信号を前記出力手段によって出力させ、
前記画像表示装置における表示領域に前記テストパターンが表示された状態での前記撮像手段による当該表示領域の撮像によって得られた画像情報により示されるテストパターンに基づいて前記アスペクト比を導出する、
請求項６記載のビデオ信号出力方法。
【発明の詳細な説明】
【技術分野】
【０００１】
本発明は、撮影装置及びビデオ信号出力方法に関し、特に、撮像によって被写体像を示す画像情報を取得する撮像手段と、画像表示装置に対して前記撮像手段により取得された画像情報によって示される被写体像を表示するためのビデオ信号を出力する出力手段と、を備えた撮影装置及び当該撮影装置のビデオ信号出力方法に関する。
【背景技術】
【０００２】
近年、デジタルカメラの普及には目を見張るものがあり、年間出荷台数も銀塩カメラを上回るほどになっている。
【０００３】
ところで、従来のデジタルカメラでは、一般に、被写体像のモニター用として設けられている液晶ディスプレイ等の表示部における表示領域のアスペクト比は４：３とされている。これは、従来のテレビジョン受像機における表示領域のアスペクト比や、従来のデジタルカメラで用いられているＣＣＤ（電荷結合素子）、ＣＭＯＳイメージ・センサ等の撮像素子による撮像画像（被写体像）のアスペクト比が４：３であることに対応したものである。
【０００４】
その一方で、近年、表示領域のアスペクト比が１６：９（所謂ワイドサイズ）とされたテレビジョン受像機の普及が進んでおり、デジタルカメラに設けられている表示部についても、表示領域がワイドサイズとされたものの適用が進むものと予想される。この場合、当該デジタルカメラでは、撮像素子によって撮像された被写体像を上記表示部によってモニター表示する場合、アスペクト比を１６：９のものとした状態で表示することになる。
【０００５】
ところで、従来のデジタルカメラには、撮影された被写体像をテレビジョン受像機で表示することができるようにするために、ビデオ信号を出力するビデオ出力端子が設けられている場合が多い。
【０００６】
このようなビデオ出力端子を備えたデジタルカメラにおいて、当該ビデオ出力端子に表示領域のアスペクト比が４：３とされたテレビジョン受像機が接続され、アスペクト比が１６：９とされた撮像画像を当該テレビジョン受像機によって表示させた際には、撮像画像が水平方向に押し潰された状態で表示されてしまい、表示画像に歪みが生じてしまうこととなる。
【０００７】
このような表示画像に歪みが生じてしまう問題は、撮像画像とテレビジョン受像機の表示領域のアスペクト比が異なる場合には生じてしまう問題である。
【０００８】
従来、撮像画像と画像表示装置との間のアスペクト比の違いに起因する表示画像の歪みの発生を防止するために適用し得る技術として、次に示すものがあった。
【０００９】
まず、アスペクト比が１６：９のＣＣＤにより得られた画像をアスペクト比が４：３のモニタにも正しく表示できるようにすることを目的として、アスペクト比１６：９で画像を記録する際に、中央のアスペクト比４：３の部分と、左右の残りの部分の画像とを分割して記録し、出力先のモニタのアスペクト比にあわせて出力を行う技術があった（例えば、特許文献１参照。）。
【００１０】
また、横長サイズ（アスペクト比１６：９）で撮影した画像を現行のテレビジョン受像機（アスペクト比４：３）にも横長画面を有するテレビジョン受像機にも好適に表示できるようにすることを目的として、撮像画像のアスペクト比が１６：９とされた撮像手段により撮像された画像をアスペクト比が４：３の画像となるように圧縮する圧縮手段と、上記撮像手段により撮像された画像からアスペクト比が４：３となる一部領域を抽出する画像抽出手段とを有し、アスペクト比として４：３が切換設定された場合は上記画像抽出手段によって抽出された画像を記録媒体に記録し、アスペクト比として１６：９が切換設定された場合は上記圧縮手段によって圧縮された画像を記録媒体に記録する技術があった（例えば、特許文献２参照。）。
【００１１】
更に、撮影者がアスペクト比を切り替えた際、接続する機器（テレビジョン受像機）のアスペクト比を自動的に切り替えることができるようにすることを目的として、アスペクト比切り替え用のスイッチがユーザにより切り替えられた際に所定の制御信号を上記接続機器に出力すると共に、当該接続機器において上記制御信号に応じてアスペクト比を切り替える技術があった（例えば、特許文献３参照。）。
【特許文献１】特開平５−１８３８６６号公報
【特許文献２】特開平５−２９２４６４号公報
【特許文献３】特開平５−７５９１６号公報
【発明の開示】
【発明が解決しようとする課題】
【００１２】
しかしながら、これらの従来技術では、接続されたテレビジョン受像機の表示領域のアスペクト比をユーザが目視により認識し、設定する必要があるため、ユーザによってアスペクト比が誤確認されてしまった場合には表示画像に歪みが生じてしまう、という問題点があった。
【００１３】
また、これらの従来技術のうち、所定の制御信号を用いる技術では、カメラとテレビジョン受像機の双方に対して当該制御信号を送信ないし受信するためのハードウェアを新たに設ける必要がある、という問題点もあった。
【００１４】
本発明は上記問題点を解決するためになされたものであり、新たなハードウェアの追加を要することなく、接続された画像表示装置による表示画像の歪みの発生を防止することができる撮影装置及びビデオ信号出力方法を提供することを目的とする。
【課題を解決するための手段】
【００１５】
上記目的を達成するために、請求項１記載の撮影装置は、撮像によって被写体像を示す画像情報を取得する撮像手段と、画像表示装置に対して前記撮像手段により取得された画像情報によって示される被写体像を表示するためのビデオ信号を出力する出力手段と、前記撮像手段による前記画像表示装置の表示領域の撮像によって得られた画像情報に基づいて当該表示領域のアスペクト比を導出する導出手段と、前記ビデオ信号によって示される前記被写体像のアスペクト比が当該被写体像に歪みを生じさせることなく前記導出手段によって導出されたアスペクト比となるように設定する設定手段と、を備えている。
【００１６】
請求項１に記載の撮影装置によれば、撮像手段による撮像によって被写体像を示す画像情報が取得されると共に、画像表示装置に対して前記撮像手段により取得された画像情報によって示される被写体像を表示するためのビデオ信号が出力手段によって出力される。なお、上記撮像手段には、ＣＣＤ、ＣＭＯＳイメージ・センサ等の固体撮像素子が含まれる。また、上記出力手段によるビデオ信号の出力には、ビデオ出力端子等を介した有線での出力の他、ブルートゥース（Bluetooth）、ＩｒＤＡ（Infrared Data Association）等による無線での出力が含まれる。更に、上記画像表示装置には、液晶ディスプレイ、プラズマ・ディスプレイ、有機ＥＬディスプレイ、ブラウン管ディスプレイ等の各種ディスプレイが備えられたテレビジョン受像機、ＰＤＡ（Personal Digital Assistant、携帯情報端末）、パーソナル・コンピュータ等の表示機能を有する機器が含まれる。
【００１７】
ここで、本発明では、導出手段により、前記撮像手段による前記画像表示装置における表示領域の撮像によって得られた画像情報に基づいて当該表示領域のアスペクト比が導出され、設定手段により、前記ビデオ信号によって示される前記被写体像のアスペクト比が当該被写体像に歪みを生じさせることなく前記導出手段によって導出されたアスペクト比となるように設定される。
【００１８】
すなわち、本発明では、ビデオ信号の出力先となる画像表示装置の表示領域を予め備えられている撮像手段によって撮像し、当該撮像によって得られた画像情報に基づいて上記表示領域のアスペクト比を導出して、ビデオ信号により示される被写体像のアスペクト比が導出されたアスペクト比となるように設定しており、これによって、新たなハードウェアの追加を要することなく、接続された画像表示装置による表示画像の歪みの発生を防止することができるようにしている。
【００１９】
このように、請求項１に記載の撮影装置によれば、ビデオ信号の出力対象となる画像表示装置における表示領域の撮像によって得られた画像情報に基づいて当該表示領域のアスペクト比を導出し、前記ビデオ信号によって示される被写体像のアスペクト比が当該被写体像に歪みを生じさせることなく、導出したアスペクト比となるように設定しているので、新たなハードウェアの追加を要することなく、接続された画像表示装置による表示画像の歪みの発生を防止することができる。
【００２０】
なお、本発明は、請求項２に記載の発明のように、予め定められたアスペクト比とされたテストパターンを表示するためのビデオ信号を前記出力手段によって出力させるテストパターン出力手段を更に備え、前記導出手段は、前記画像表示装置における表示領域に前記テストパターンが表示された状態での前記撮像手段による当該表示領域の撮像によって得られた画像情報により示されるテストパターンに基づいて前記アスペクト比を導出することが好ましい。これによって、ビデオ信号により示されるテストパターンのアスペクト比と、画像表示装置の表示領域に表示されたテストパターンのアスペクト比の差異に基づいて、画像表示装置の表示領域のアスペクト比を精度よく、かつ簡易に導出することができる。
【００２１】
特に、請求項２に記載の発明は、請求項３に記載の発明のように、前記テストパターン出力手段は、前記テストパターンの撮影を促す情報を付加した状態で前記テストパターンを表示するためのビデオ信号を前記出力手段によって出力させることが好ましい。これによって、ユーザに対してテストパターンの撮影を促すことができ、利便性を向上させることができる。
【００２２】
更に、請求項２又は請求項３に記載の発明は、請求項４に記載の発明のように、前記撮像によって得られた画像情報から前記テストパターンが検出できない場合に警告を発する警告手段を更に備えることが好ましい。これによって、テストパターンが検出できない異常状態をユーザに明示することができ、当該異常状態を回避させることが可能となる。
【００２３】
また、本発明は、請求項５に記載の発明のように、前記ビデオ信号により示される被写体像のアスペクト比の設定指示を入力する入力手段と、前記導出手段によって前記アスペクト比が導出できなかった場合に前記入力手段によるアスペクト比の設定指示の入力を促す情報を提示する提示手段と、を更に備えることが好ましい。これによって、自動でのアスペクト比の導出ができなかった場合における当該アスペクト比の設定を行うことができるようになる。なお、上記入力手段には、各種スイッチ類が含まれる。
【００２４】
一方、上記目的を達成するために、請求項６記載のビデオ信号出力方法は、撮像によって被写体像を示す画像情報を取得する撮像手段と、画像表示装置に対して前記撮像手段により取得された画像情報によって示される被写体像を表示するためのビデオ信号を出力する出力手段と、を備えた撮影装置のビデオ信号出力方法であって、前記撮像手段による前記画像表示装置の表示領域の撮像によって得られた画像情報に基づいて当該表示領域のアスペクト比を導出し、前記ビデオ信号によって示される前記被写体像のアスペクト比が当該被写体像に歪みを生じさせることなく、導出したアスペクト比となるように設定するものである。
【００２５】
従って、請求項６に記載のビデオ信号出力方法は、撮影装置を請求項１記載の発明と同様に作用させるものであるので、請求項１記載の発明と同様に、新たなハードウェアの追加を要することなく、接続された画像表示装置による表示画像の歪みの発生を防止することができる。
【００２６】
なお、本発明は、請求項７に記載の発明のように、予め定められたアスペクト比とされたテストパターンを表示するためのビデオ信号を前記出力手段によって出力させ、前記画像表示装置における表示領域に前記テストパターンが表示された状態での前記撮像手段による当該表示領域の撮像によって得られた画像情報により示されるテストパターンに基づいて前記アスペクト比を導出することが好ましい。これによって、ビデオ信号により示されるテストパターンのアスペクト比と、画像表示装置の表示領域に表示されたテストパターンのアスペクト比の差異に基づいて、画像表示装置の表示領域のアスペクト比を精度よく、かつ簡易に導出することができる。
【発明の効果】
【００２７】
本発明によれば、ビデオ信号の出力対象となる画像表示装置における表示領域の撮像によって得られた画像情報に基づいて当該表示領域のアスペクト比を導出し、前記ビデオ信号によって示される被写体像のアスペクト比が当該被写体像に歪みを生じさせることなく、導出したアスペクト比となるように設定しているので、新たなハードウェアの追加を要することなく、接続された画像表示装置による表示画像の歪みの発生を防止することができる、という効果が得られる。
【発明を実施するための最良の形態】
【００２８】
以下、図面を参照して、本発明を実施するための最良の形態について詳細に説明する。なお、ここでは、本発明に係る撮影装置及びビデオ信号出力方法をデジタルカメラに適用した場合について説明する。
【００２９】
〔第１の実施の形態〕
まず、図１を参照して、本実施の形態に係るデジタルカメラ１０の外観上の構成を説明する。
【００３０】
デジタルカメラ１０の正面には、被写体像を結像させるためのレンズ２１と、撮影時に必要に応じて被写体に照射する光を発するストロボ４４と、撮影する被写体の構図を決定するために用いられるファインダ２０と、が備えられている。また、デジタルカメラ１０の上面には、撮影を実行する際に押圧操作されるレリーズボタン（所謂シャッター）５６Ａと、電源スイッチ５６Ｂと、が備えられている。
【００３１】
なお、本実施の形態に係るデジタルカメラ１０のレリーズボタン５６Ａは、中間位置まで押下される状態（以下、「半押し状態」という。）と、当該中間位置を超えた最終押下位置まで押下される状態（以下、「全押し状態」という。）と、の２段階の押圧操作が検出可能に構成されている。
【００３２】
そして、デジタルカメラ１０では、レリーズボタン５６Ａを半押し状態にすることによりＡＥ（Automatic Exposure、自動露出）機能が働いて露出状態（シャッタースピード、絞りの状態）が設定された後、ＡＦ（Auto Focus、自動合焦）機能が働いて合焦制御され、その後、引き続き全押し状態にすると露光（撮影）が行われる。
【００３３】
一方、デジタルカメラ１０の背面には、前述のファインダ２０の接眼部と、撮影された被写体像やメニュー画面等を表示するための液晶ディスプレイ（以下、「ＬＣＤ」という。）３８と、が備えられている。なお、本実施の形態に係るデジタルカメラ１０では、ＬＣＤ３８として表示領域のアスペクト比が１６：９とされたものが適用されている。
【００３４】
また、デジタルカメラ１０の背面には、撮影を行うモードである撮影モード及び被写体像をＬＣＤ３８により再生するモードである再生モードの何れかのモードに設定する際にスライド操作されるモード切替スイッチ５６Ｃと、十字カーソルボタン５６Ｄと、撮像された被写体像のアスペクト比を１６：９及び４：３の何れか一方に選択的に切り替える際に押圧操作されるワイド切替スイッチ５６Ｅと、が更に備えられている。
【００３５】
なお、十字カーソルボタン５６Ｄは、ＬＣＤ３８の表示領域における上・下・左・右の４方向の移動方向を示す４つの矢印キーを含んで構成されている。また、ワイド切替スイッチ５６Ｅは、押圧操作する度に、その時点で設定されているアスペクト比を他方のアスペクト比に切り替えるものとされている。
【００３６】
次に、図２を参照して、本実施の形態に係るデジタルカメラ１０の電気系の主要構成を説明する。
【００３７】
デジタルカメラ１０は、前述のレンズ２１を含んで構成された光学ユニット２２と、レンズ２１の光軸後方に配設された電荷結合素子（以下、「ＣＣＤ」という。）２４と、入力されたアナログ信号に対して各種のアナログ信号処理を行うアナログ信号処理部２６と、を備えている。
【００３８】
また、デジタルカメラ１０は、入力されたアナログ信号をデジタルデータに変換するアナログ／デジタル変換器（以下、「ＡＤＣ」という。）２８と、入力されたデジタルデータに対して各種のデジタル信号処理を行うデジタル信号処理部３０と、を備えている。なお、デジタル信号処理部３０は、所定容量のラインバッファを内蔵し、入力されたデジタルデータを後述するメモリ４８の所定領域に直接記憶させる制御も行う。
【００３９】
ＣＣＤ２４の出力端はアナログ信号処理部２６の入力端に、アナログ信号処理部２６の出力端はＡＤＣ２８の入力端に、ＡＤＣ２８の出力端はデジタル信号処理部３０の入力端に、各々接続されている。従って、ＣＣＤ２４から出力された被写体像を示すアナログ信号はアナログ信号処理部２６によって所定のアナログ信号処理が施され、ＡＤＣ２８によってデジタル画像データに変換された後にデジタル信号処理部３０に入力される。
【００４０】
一方、デジタルカメラ１０は、デジタルカメラ１０全体の動作を司るマイクロコンピュータ４０と、撮影により得られたデジタル画像データ等を一時的に記憶するメモリ４８と、を備えている。なお、マイクロコンピュータ４０には、各種プログラムやパラメータ等が予め記憶された不揮発性のメモリ４０Ａが内蔵されている。
【００４１】
また、デジタルカメラ１０は、可搬型の記録メディア５２が着脱可能に構成されており、記録メディア５２が装着された状態でデジタル信号処理部３０により当該記録メディア５２がアクセスできる構成となっている。
【００４２】
なお、本実施の形態のデジタルカメラ１０では、メモリ４８としてＶＲＡＭ（Video RAM）が用いられ、記録メディア５２としてスマートメディア（Smart Media(登録商標)）が用いられている。
【００４３】
また、デジタルカメラ１０には、デジタル画像データに対する圧縮処理及び伸張処理を行う圧縮・伸張処理部５４が備えられている。
【００４４】
更に、デジタルカメラ１０には、入力されたデジタルデータをアナログ信号に変換するデジタル／アナログ変換器（以下、「ＤＡＣ」という。）６０が備えられており、デジタル信号処理部３０と協働して、ＬＣＤ３８に表示させる画像を示す映像信号（本実施の形態では、ＮＴＳＣ信号。）を生成し、ビデオ出力端子６１からビデオ信号として出力することができる。
【００４５】
一方、デジタルカメラ１０には、主としてＣＣＤ２４を駆動させるためのタイミング信号を生成してＣＣＤ２４に供給するタイミングジェネレータ３２が備えられており、ＣＣＤ２４の駆動はマイクロコンピュータ４０によりタイミングジェネレータ３２を介して制御される。
【００４６】
また、マイクロコンピュータ４０はモータ駆動部６２の入力端に接続され、モータ駆動部６２の出力端は光学ユニット２２に備えられた焦点調整モータ、ズームモータ及び絞り駆動モータに接続されている。
【００４７】
本実施の形態に係るレンズ２１は複数枚のレンズを有し、焦点距離の変更（変倍）が可能なズームレンズとして構成されており、図示しないレンズ駆動機構を備えている。このレンズ駆動機構に上記焦点調整モータ、ズームモータ及び絞り駆動モータは含まれるものであり、焦点調整モータ、ズームモータ及び絞り駆動モータは各々マイクロコンピュータ４０の制御下でモータ駆動部６２から供給された駆動信号によって駆動される。
【００４８】
マイクロコンピュータ４０は、光学ズーム倍率を変更する際にはズームモータを駆動制御して光学ユニット２２に含まれるレンズ２１の焦点距離を変化させる。
【００４９】
また、マイクロコンピュータ４０は、ＣＣＤ２４による撮像によって得られた画像のコントラストが最大となるように上記焦点調整モータを駆動制御することによって合焦制御を行う。
【００５０】
また、マイクロコンピュータ４０は、デジタル信号処理部３０、ストロボ４４、及び圧縮・伸張処理部５４にも接続されており、これら各部位の作動の制御を行うことができる。なお、デジタル信号処理部３０は、ＡＤＣ２８から入力されたデジタル画像データをマイクロコンピュータ４０に出力する役割も有している。
【００５１】
更に、前述のレリーズボタン５６Ａ、電源スイッチ５６Ｂ、モード切替スイッチ５６Ｃ、十字カーソルボタン５６Ｄ、及びワイド切替スイッチ５６Ｅ（同図では、「操作部５６」と総称。）はマイクロコンピュータ４０に接続されており、マイクロコンピュータ４０は、これらの操作部５６に対する操作状態を常時把握できる。
【００５２】
次に、本実施の形態に係るデジタルカメラ１０の撮影モード時における全体的な動作について簡単に説明する。
【００５３】
まず、ＣＣＤ２４によって被写体像の撮像を行い、当該被写体像を示すＲ（赤），Ｇ（緑），Ｂ（青）毎のアナログ信号をアナログ信号処理部２６に順次出力する。アナログ信号処理部２６は、ＣＣＤ２４から入力されたアナログ信号に対して相関二重サンプリング処理等のアナログ信号処理を施した後にＡＤＣ２８に順次出力する。
【００５４】
ＡＤＣ２８は、アナログ信号処理部２６から入力されたＲ，Ｇ，Ｂ毎のアナログ信号を各々１２ビットのＲ，Ｇ，Ｂの信号（デジタル画像データ）に変換してデジタル信号処理部３０に順次出力する。
【００５５】
デジタル信号処理部３０は、内蔵しているラインバッファにＡＤＣ２８から順次入力されるデジタル画像データを蓄積して一旦メモリ４８の所定領域に直接格納する。
【００５６】
メモリ４８の所定領域に格納されたデジタル画像データは、マイクロコンピュータ４０による制御に応じてデジタル信号処理部３０により読み出され、所定の物理量に応じたデジタルゲインをＲ，Ｇ，Ｂ毎にかけることでホワイトバランス調整処理を行うと共に、シャープネス処理を行って８ビットのデジタル画像データを生成する。
【００５７】
そして、デジタル信号処理部３０は、生成した８ビットのデジタル画像データに対しＹＣ信号処理を施して輝度信号Ｙと色差信号Ｃｒ（＝Ｒ−Ｙ）、Ｃｂ（＝Ｂ−Ｙ）（以下、「ＹＣ信号」という。）を生成し、ＹＣ信号をメモリ４８の上記所定領域とは異なる領域に格納する。
【００５８】
なお、ＬＣＤ３８は、ＣＣＤ２４による連続的な撮像によって得られた動画像（スルー画像）を表示してファインダとして使用することができるものとして構成されており、ＬＣＤ３８をファインダとして使用する場合には、生成したＹＣ信号を画像信号として順次ＬＣＤ３８に供給する。これによってＬＣＤ３８にスルー画像が表示されることになる。
【００５９】
ここで、レリーズボタン５６Ａがユーザによって半押し状態とされた場合、前述のようにＡＥ機能が働いて露出状態が設定された後、ＡＦ機能が働いて合焦制御され、その後、引き続き全押し状態とされた場合、この時点でメモリ４８に格納されているＹＣ信号を、圧縮・伸張処理部５４によって所定の圧縮形式（本実施の形態では、ＪＰＥＧ形式）で圧縮した後にデジタル信号処理部３０を介して記録メディア５２に記録する。
【００６０】
ところで、デジタルカメラ１０では、前述したように、ワイド切替スイッチ５６Ｅを押圧操作することによって、撮像された被写体像のアスペクト比を１６：９及び４：３の何れか一方に選択的に設定することができるが、本実施の形態に係るデジタルカメラ１０では、撮影モード実行時には、設定されたアスペクト比の被写体像がＬＣＤ３８にスルー画像として表示されると共に、レリーズボタン５６Ａが全押し状態とされた際に、設定されたアスペクト比の被写体像を示すデジタル画像データが記録メディア５２に記録される。
【００６１】
ここで、デジタルカメラ１０では、ＣＣＤ２４として撮像領域のアスペクト比が４：３のものを適用しており、ユーザにより被写体像のアスペクト比として１６：９が設定された場合には、デジタル信号処理部３０により、ＣＣＤ２４による撮像によって得られたデジタル画像データから、当該デジタル画像データにより示される被写体像の上端部側の画像領域と下端部側の画像領域とが均等に削除されるように画素データを削除することによって１６：９のアスペクト比の被写体像を示すものとなるようにしている。
【００６２】
なお、この形態に限らず、例えば、ＣＣＤ２４として撮像領域のアスペクト比が１６：９のものを適用した場合において、ユーザにより被写体像のアスペクト比として４：３が設定された場合には、ＣＣＤ２４による撮像によって得られたデジタル画像データから、当該デジタル画像データにより示される被写体像の左端部側の画像領域と右端部側の画像領域とが均等に削除されるように画素データを削除することによって４：３のアスペクト比の被写体像を示すものとなるようにすることもできる。
【００６３】
一方、本実施の形態に係るデジタルカメラ１０は、一例として図３に示すように、当該デジタルカメラ１０による撮像画像（撮影されて記録メディア５２に記録された画像及びスルー画像を含む。）を表示させるためにビデオ出力端子６１にテレビジョン受像機（以下、「ＴＶ」という。）８０を接続した場合に、当該ＴＶ８０の表示領域の全域を撮像範囲内に収めた状態での撮影によって得られたデジタル画像データに基づいて上記表示領域のアスペクト比を導出し、ビデオ出力端子６１から出力するビデオ信号を、当該ビデオ信号によって示される画像（被写体像）のアスペクト比が導出したアスペクト比に一致するものとして出力するように設定するビデオ信号設定機能を有している。
【００６４】
次に、図４を参照して、ビデオ信号設定機能を実行する際のデジタルカメラ１０の作用を説明する。なお、図４は、十字カーソルボタン５６Ｄの操作によって当該ビデオ信号設定機能を実行する旨を示す指示入力がユーザによって行われた際にデジタルカメラ１０のマイクロコンピュータ４０によって実行されるビデオ信号設定処理プログラムの処理の流れを示すフローチャートであり、当該プログラムはメモリ４０Ａの所定領域に予め記憶されている。また、ここでは、ＴＶ８０の電源が投入されており、ＴＶ８０の表示領域に所定輝度以上の画像が表示されている場合について説明する。
【００６５】
同図のステップ１００では、初期設定として警告カウンタ変数Ｎ及び所定フラグＦに０（零）を代入し、次のステップ１０２では、ユーザによる当該デジタルカメラ１０を用いた撮影待ちを行う。ユーザは、ビデオ信号設定機能を実行する旨を示す指示入力を行った後、デジタルカメラ１０により、当該デジタルカメラ１０に接続されているＴＶ８０の表示領域の全域を撮像範囲内に収めた状態で撮影を行う。これにより、上記ステップ１０２が肯定判定となってステップ１０４に移行する。
【００６６】
ステップ１０４では、ユーザによる撮影によって得られたデジタル画像データに基づいてＴＶ８０の表示領域のアスペクト比を導出する。なお、本実施の形態に係るデジタルカメラ１０では、当該アスペクト比の導出を次のように行う。
【００６７】
まず、ユーザによる撮影によって得られたデジタル画像データの中から上記所定輝度以上となっている所定サイズ以上の矩形領域を抽出する。なお、ここで、当該矩形領域が抽出されなかった場合にはアスペクト比を導出することができなかったものとして所定フラグＦに１を代入する。また、本実施の形態では上記所定サイズとして、横方向サイズ及び縦方向サイズ共に、ＣＣＤ２４による撮像範囲の１／２（２分の１）に対応するサイズが適用されているが、これに限定されるものではない。
【００６８】
一方、上記矩形領域が抽出された場合は、当該矩形領域のアスペクト比（横方向サイズ：縦方向サイズ）を、各々のサイズ値が整数値となるように算出する。
【００６９】
そして、算出したアスペクト比が現時点で想定し得る複数のアスペクト比（ここでは、‘１６：９’及び‘４：３’の２種類のアスペクト比）の何れかに一致するか否かを判定し、一致した場合は当該一致したアスペクト比がＴＶ８０のアスペクト比であるものと判断し、一致するものがなかった場合にはアスペクト比を導出することができなかったものとして所定フラグＦに１を代入する。
【００７０】
次のステップ１０６では、所定フラグＦの値が０であるか否かを判定することにより、上記ステップ１０４においてアスペクト比が導出できたか否かを判定し、肯定判定となった場合はステップ１０８に移行して、ビデオ出力端子６１から出力するビデオ信号を、当該ビデオ信号によって示される画像（被写体像）のアスペクト比が導出したアスペクト比に一致するものとして出力するようにデジタル信号処理部３０に対して設定を行い、その後に本ビデオ信号設定処理プログラムを終了する。
【００７１】
一方、上記ステップ１０６において否定判定となった場合はステップ１１０に移行し、警告カウンタ変数Ｎの値が所定値（ここでは、‘１０’）以上となっているか否かを判定し、肯定判定となった場合はステップ１１２に移行する。
【００７２】
ステップ１１２では、手動によってＴＶ８０のアスペクト比を設定させるための画面をＬＣＤ３８に表示し、次のステップ１１４にて、ユーザによるアスペクト比の設定待ちを行う。
【００７３】
図５には、上記ステップ１１２の処理によってＬＣＤ３８に表示される画面の一例が示されている。同図に示すように、当該画面では、接続したＴＶ８０における表示領域のアスペクト比の選択を促す旨のメッセージを表示すると共に、選択対象を示す「４：３」及び「１６：９」との表示が選択状態を示す矩形枠と共に表示される。
【００７４】
同図に示されるような画面がＬＣＤ３８に表示されると、ユーザは、十字カーソルボタン５６Ｄの操作によって、ＴＶ８０の表示領域のアスペクト比を示す矩形枠を指定する。これに応じて上記ステップ１１４が肯定判定となってステップ１１６に移行する。なお、同図では、ユーザによってアスペクト比として「４：３」が指定された状態が示されている。
【００７５】
ステップ１１６では、ビデオ出力端子６１から出力するビデオ信号を、当該ビデオ信号によって示される画像（被写体像）のアスペクト比がユーザによって指定されたアスペクト比に一致するものとして出力するようにデジタル信号処理部３０に対して設定を行い、その後に本ビデオ信号設定処理プログラムを終了する。
【００７６】
一方、上記ステップ１１０において否定判定となった場合はステップ１１８に移行し、ユーザに対して警告を示す旨の画面をＬＣＤ３８に表示する。
【００７７】
図６には、上記ステップ１１８の処理によってＬＣＤ３８に表示される画面の一例が示されている。同図に示すように、当該画面では、接続したＴＶ８０における表示領域のアスペクト比を高精度で導出するために必要とされるサイズに応じて予め定められたサイズの撮影範囲を示す枠が表示されると共に、当該枠によって示される撮影範囲内にＴＶ８０の表示領域が収まる状態での撮影を促すメッセージが表示される。
【００７８】
同図に示されるような画面がＬＣＤ３８に表示されると、ユーザは、上記枠によって示される撮影範囲内にＴＶ８０の表示領域が収まる状態での撮影を行うことになる。
【００７９】
次のステップ１２０では、警告カウンタ変数Ｎの値を１だけインクリメントし、その後に上記ステップ１０２に戻る。
【００８０】
本ビデオ信号設定処理プログラムにより、これ以降にビデオ出力端子６１から出力されるビデオ信号は、デジタル信号処理部３０により、アスペクト比がＴＶ８０の表示領域のアスペクト比と一致するものとされた画像（被写体像）を示すものとされる。
【００８１】
なお、本実施の形態に係るデジタル信号処理部３０では、ワイド切替スイッチ５６Ｅにより設定されているアスペクト比とＴＶ８０の表示領域のアスペクト比が一致していない場合は、ビデオ信号を表示画像がＴＶ８０のアスペクト比に一致するように変換して生成する一方、ワイド切替スイッチ５６Ｅにより設定されているアスペクト比とＴＶ８０の表示領域のアスペクト比が一致している場合には、ビデオ信号を表示画像のアスペクト比の変換を行うことなく生成する。
【００８２】
ここで、デジタル信号処理部３０では、ビデオ信号を表示画像がＴＶ８０のアスペクト比に一致するように変換して生成する場合、ワイド切替スイッチ５６Ｅにより設定されているアスペクト比が１６：９であり、かつＴＶ８０におけるアスペクト比が４：３であるときにはＣＣＤ２４の撮像領域の全域で得られたデジタル画像データを用いてビデオ信号を生成することによりアスペクト比が４：３となるビデオ信号を生成し、ワイド切替スイッチ５６Ｅにより設定されているアスペクト比が４：３であり、かつＴＶ８０におけるアスペクト比が１６：９であるときにはＣＣＤ２４の撮像領域の全域で得られたデジタル画像データにより示される被写体像の上端部側の画像領域と下端部側の画像領域とを均等に除いた画素データを用いてビデオ信号を生成することによってアスペクト比が１６：９となるビデオ信号を生成する。
【００８３】
以上詳細に説明したように、本実施の形態によれば、ビデオ信号の出力対象となる画像表示装置（ここでは、ＴＶ８０）における表示領域の撮像によって得られた画像情報に基づいて当該表示領域のアスペクト比を導出し、前記ビデオ信号によって示される被写体像のアスペクト比が当該被写体像に歪みを生じさせることなく、導出したアスペクト比となるように設定しているので、新たなハードウェアの追加を要することなく、接続された画像表示装置による表示画像の歪みの発生を防止することができる。
【００８４】
また、本実施の形態によれば、前記アスペクト比が導出できなかった場合にアスペクト比の設定指示の入力を促す情報を提示している（ここでは、図５に示される画面のＬＣＤ３８による表示による提示）ので、自動でのアスペクト比の導出ができなかった場合における当該アスペクト比の設定を行うことができるようになる。
【００８５】
なお、本実施の形態では、ＴＶ８０の表示領域のアスペクト比を撮像画像の輝度レベルを利用して導出する場合について説明したが、本発明はこれに限定されるものではなく、例えば、撮像画像のコントラストが所定レベルより高い矩形領域を抽出し、当該矩形領域のアスペクト比として導出する形態とすることもでき、撮像画像から各々の端点を１つずつ接続することによって矩形形状を形成する４本の直線画像を抽出し、当該矩形形状のアスペクト比として導出する形態とすることもできる。これらの場合も、本実施の形態と同様の効果を奏することができる。
【００８６】
〔第２の実施の形態〕
本第２の実施の形態では、ＴＶ８０によって予め定められたテストパターンを表示させ、当該テストパターンの撮影によって得られたデジタル画像データに基づいてＴＶ８０の表示領域のアスペクト比を導出する場合について説明する。
【００８７】
なお、本第２の実施の形態に係るデジタルカメラ１０の構成は、上記第１の実施の形態に係るデジタルカメラ１０と同一であるので、ここでの説明は省略する。
【００８８】
次に、図７を参照して、本第２の実施の形態に係るデジタルカメラ１０において実行されるビデオ信号設定処理プログラムについて説明する。なお、図７は、十字カーソルボタン５６Ｄの操作によってビデオ信号設定機能を実行する旨を示す指示入力がユーザによって行われた際に本第２の実施の形態に係るデジタルカメラ１０のマイクロコンピュータ４０によって実行されるビデオ信号設定処理プログラムの処理の流れを示すフローチャートであり、当該プログラムはメモリ４０Ａの所定領域に予め記憶されている。また、図７の図４に示されるフローチャートと同一の処理を行うステップについては図４と同一のステップ番号を付して、その説明を省略する。
【００８９】
本第２の実施の形態に係るビデオ信号設定処理プログラムでは、ステップ１０１において、予め定められたアスペクト比とされたテストパターン及び当該テストパターンの撮影を促すメッセージを表示するためのビデオ信号を、予め定められたアスペクト比（ここでは、ワイド切替スイッチ５６Ｅによって設定されているアスペクト比）の画像を示すように生成し、ＴＶ８０にビデオ出力端子６１を介して出力させる。
【００９０】
これによって、ＴＶ８０の表示領域には、一例として図８（Ａ）又は図８（Ｂ）に示す画像が表示される。なお、同図では、ビデオ信号による表示画像のアスペクト比として１６：９が設定されており、テストパターン７０として所定輝度以下の真円を示すものを適用した場合について示している。
【００９１】
同図に示すように、この場合、ＴＶ８０の表示領域のアスペクト比がビデオ信号と同様の１６：９であるときは、図８（Ａ）に示すようにテストパターン７０は真円を示すものとなる。これに対し、ＴＶ８０の表示領域のアスペクト比がビデオ信号と異なる４：３であるときは、図８（Ｂ）に示すようにテストパターン７０は水平方向に押し潰された状態の楕円を示すものとなる。なお、これに限らず、ビデオ信号による表示画像のアスペクト比と、接続されているＴＶの表示領域のアスペクト比が異なる場合には、ＴＶによりアスペクト比が変化した状態でテストパターンが表示されることになる。
【００９２】
以上のことから、ビデオ信号によるテストパターンのアスペクト比と、ＴＶ８０により表示されたテストパターン７０のアスペクト比とが一致しない場合には、ＴＶ８０のアスペクト比がビデオ信号により想定されているアスペクト比とは異なるアスペクト比であると判断することができ、ビデオ信号によるテストパターンのアスペクト比と、ＴＶ８０により表示されたテストパターン７０のアスペクト比とが一致する場合には、ＴＶ８０のアスペクト比がビデオ信号により想定されているアスペクト比と同一のアスペクト比であると判断することができる。
【００９３】
このことを利用して、本第２の実施の形態に係るビデオ信号設定処理プログラムでは、ステップ１０４Ｂにおいて、ユーザによる撮影によって得られたデジタル画像データにより示されるテストパターンのアスペクト比と、ビデオ信号によるテストパターンのアスペクト比とに基づいてＴＶ８０の表示領域のアスペクト比を次のように導出する。
【００９４】
まず、ユーザによる撮影によって得られたデジタル画像データの中から上記所定輝度以下となっている所定サイズ以上の領域を抽出する。なお、ここで、当該領域が抽出されなかった場合にはアスペクト比を導出することができなかったものとして所定フラグＦに１を代入する。また、本実施の形態では上記所定サイズとして、横方向サイズ及び縦方向サイズ共に、ＣＣＤ２４による撮像範囲の１／５（５分の１）のサイズが適用されているが、これに限定されるものではない。
【００９５】
一方、上記領域が抽出された場合は、当該領域のアスペクト比（横方向サイズ：縦方向サイズ）を、各々のサイズ値が整数値となるように算出する。
【００９６】
そして、算出したアスペクト比がビデオ信号によるテストパターンのアスペクト比と一致しない場合には、ＴＶ８０のアスペクト比がビデオ信号により想定されているアスペクト比とは異なるアスペクト比であると判断し、算出したアスペクト比がビデオ信号によるテストパターンのアスペクト比と一致する場合には、ＴＶ８０のアスペクト比がビデオ信号により想定されているアスペクト比と同一のアスペクト比であると判断する。
【００９７】
以上詳細に説明したように、本実施の形態によれば、上記第１の実施の形態における効果に加えて、予め定められたアスペクト比とされたテストパターンを表示するためのビデオ信号をビデオ出力端子から出力させると共に、画像表示装置（ここでは、ＴＶ８０）における表示領域に前記テストパターンが表示された状態での撮像手段（ここでは、ＣＣＤ２４）による当該表示領域の撮像によって得られた画像情報により示されるテストパターンに基づいて前記アスペクト比を導出しているので、ビデオ信号により示されるテストパターンのアスペクト比と、画像表示装置の表示領域に表示されたテストパターンのアスペクト比の差異に基づいて、画像表示装置の表示領域のアスペクト比を精度よく、かつ簡易に導出することができる。
【００９８】
また、本実施の形態によれば、前記テストパターンの撮影を促す情報（ここでは、図８に示されるテストパターンの撮影を促すメッセージ）を付加した状態で前記テストパターンを表示するためのビデオ信号をビデオ出力端子を介して出力させているので、ユーザに対してテストパターンの撮影を促すことができ、利便性を向上させることができる。
【００９９】
更に、本実施の形態によれば、前記撮像によって得られた画像情報から前記テストパターンが検出できない場合に警告（ここでは、図６に示される画面のＬＣＤ３８による表示による警告）を発しているので、テストパターンが検出できない異常状態をユーザに明示することができ、当該異常状態を回避させることが可能となる。
【０１００】
なお、上記各実施の形態では、ビデオ出力端子６１を介した有線でビデオ信号を出力する場合について説明したが、本発明はこれに限定されるものではなく、例えば、ブルートゥース、ＩｒＤＡ等による無線で出力する形態とすることもできる。この場合も、上記各実施の形態と同様の効果を奏することができる。
【０１０１】
その他、上記各実施の形態で説明したビデオ信号設定処理プログラムの処理の流れ（図４及び図７参照。）は一例であり、本発明の主旨を逸脱しない範囲内において適宜変更可能であることは言うまでもない。
【０１０２】
また、上記各実施の形態で説明したデジタルカメラ１０の構成（図１〜図２参照。）も一例であり、本発明の主旨を逸脱しない範囲内において適宜変更可能であることは言うまでもない。
【０１０３】
更に、上記各実施の形態では、本発明に係る撮影装置及びビデオ信号出力方法をデジタルカメラに適用した場合について説明したが、本発明はこれに限定されるものではなく、例えば、撮像機能を有し、かつ当該撮像機能によって撮像された画像を示すビデオ信号を外部表示装置に対して出力する機能を有するＰＤＡ、携帯電話機等の各種情報処理装置に適用することもできる。この場合も、上記各実施の形態と同様の効果を奏することができる。
【図面の簡単な説明】
【０１０４】
【図１】実施の形態に係るデジタルカメラの外観を示す外観図である。
【図２】実施の形態に係るデジタルカメラの電気系の主要構成を示すブロック図である。
【図３】実施の形態に係るデジタルカメラに搭載されたビデオ信号設定機能の説明に供する概略図である。
【図４】第１の実施の形態に係るビデオ信号設定処理プログラムの処理の流れを示すフローチャートである。
【図５】実施の形態に係るビデオ信号設定処理プログラムのステップ１１２の処理によってデジタルカメラのＬＣＤに表示される画面の一例を示す概略図である。
【図６】実施の形態に係るビデオ信号設定処理プログラムのステップ１１８の処理によってデジタルカメラのＬＣＤに表示される画面の一例を示す概略図である。
【図７】第２の実施の形態に係るビデオ信号設定処理プログラムの処理の流れを示すフローチャートである。
【図８】第２の実施の形態に係るビデオ信号設定処理プログラムのステップ１０１の処理によってＴＶ８０により表示される画像の一例を示す概略図である。
【符号の説明】
【０１０５】
１０    デジタルカメラ
２４    ＣＣＤ（撮像手段）
３８    ＬＣＤ
４０    マイクロコンピュータ（導出手段、設定手段、テストパターン出力手段、警告手段、提示手段）
５６Ｄ    十字カーソルボタン（入力手段）
６１    ビデオ出力端子（出力手段）
８０    テレビジョン受像機（画像表示装置）
【図１】
2005328165.tif 000003
【図２】
2005328165.tif 000004
【図３】
2005328165.tif 000005
【図４】
2005328165.tif 000006
【図５】
2005328165.tif 000007
【図６】
2005328165.tif 000008
【図７】
2005328165.tif 000009
【図８】
2005328165.tif 000010